(57)【要約】【課題】改めて講演者に許可を取らなくても、持ち帰り可能な一部分の講演資料を電子データとして持ち帰ることができるデータ出力装置および放送システムを提供すること。【解決手段】本発明のデータ出力装置１は、講演者の切り替え指示に応じてスクリーン等に表示される講演資料のページを切り替えることができるとともに、講演資料のページのうち、保存可、保存不可について区別して出力することができる。これにより、聴講者は、講演者から遠い位置にいても、手元の映像表示装置４において、講演資料を表示させて内容を確認できるとともに、保存可の講演資料のページを手元の無線受信装置３または映像表示装置４に保存することができる。【選択図】図１
2009105561.tif 000002
【特許請求の範囲】
【請求項１】
画像データが含まれる複数のファイルを、保存可データと保存不可データに分類して記憶する記憶手段と、
前記記憶手段内のいずれかのファイルの読み出しを指示する指示信号を取得する取得手段と、
前記取得手段が指示信号を取得すると、前記記憶手段からファイルを読み出す読出手段と、
前記読出手段が読み出したファイルが保存不可データである場合には、当該ファイルに含まれる画像データに基づいて、ストリーミング形式の映像データを生成して出力し、前記読出手段が読み出したファイルが保存可データである場合には、当該ファイルを出力する映像データ生成手段と、
前記映像データ生成手段が出力した映像データおよびファイルを外部機器と通信可能な送信手段に出力する出力手段と
を具備することを特徴とするデータ出力装置。
【請求項２】
前記映像データ生成手段は、前記読出手段が読み出したファイルが保存可データである場合には、さらに当該ファイルに含まれる画像データに基づいて、ストリーミング形式の映像データを生成して出力する
ことを特徴とする請求項１に記載のデータ出力装置。
【請求項３】
外部機器から映像データを取得する外部映像データ取得手段
をさらに具備し、
前記映像データ生成手段は、前記外部映像データ取得手段によって映像データを取得している期間においては、当該映像データ、または、当該映像データと前記読出手段が読み出したファイルに含まれる画像データとに基づいて、ストリーミング形式の映像データを生成して出力する
ことを特徴とする請求項１または請求項２に記載のデータ出力装置。
【請求項４】
請求項１乃至請求項３のいずれかに記載のデータ出力装置と、
前記出力手段から出力された映像データおよびファイルを通信によって送信する送信手段を有する送信装置と、
前記送信手段から送信される前記映像データおよびファイルを受信する受信手段を有する受信装置と
を具備することを特徴とする放送システム。
【請求項５】
前記受信装置は、前記受信手段が受信したファイルを記憶するファイル記憶手段をさらに有する
ことを特徴とする請求項４に記載の放送システム。
【請求項６】
外部装置から表示内容を制御される映像表示装置をさらに具備し、
前記受信装置は、前記外部装置であって、
前記受信手段がファイルを受信した場合に、当該ファイルに含まれる画像データに基づいて、ストリーミング形式の映像データを生成する表示データ生成手段と、
前記受信手段が受信した映像データ、または前記表示データ生成手段が生成した映像データに基づく表示内容を前記映像表示装置に表示させる制御を行う映像制御手段と
を有する
ことを特徴とする請求項４または請求項５に記載の放送システム。
【請求項７】
前記受信装置は、前記受信手段が受信したファイルを前記映像表示装置に出力する画像データ出力手段をさらに有する
ことを特徴とする請求項６に記載の放送システム。
【発明の詳細な説明】
【技術分野】
【０００１】
本発明は、広い会場における講演において、聴講者に対して講演資料を送信する技術に関する。
【背景技術】
【０００２】
講演会などにおいて、一般的には、講演者はプロジェクタなどによりスクリーンに映し出された講演資料を聴講者に示しながら、その内容についての説明を行う。しかし、講演を行う会場が広い場合などは、講演者やスクリーンから遠い場所にいる聴講者は、スクリーンに映し出された講演資料を視認することが困難になるとともに、講演内容を聞き取ることも困難になる。このような状況を改善するために、ビデオカメラによってスクリーンを撮影した映像と、マイクによって収音した音声とを、聴講者の手元にあるモニタとヘッドホンに赤外線通信によって送信する技術が、例えば特許文献１に開示されている。
【特許文献１】特開２００４−３１２２１４号公報
【発明の開示】
【発明が解決しようとする課題】
【０００３】
一方、聴講者が手元のモニタで講演資料を見ることができたとしても、その講演資料を持ち帰りたい場合などにおいては、講演者の許可を得て、スクリーンまたは手元のモニタを写真撮影する、講演資料の複写物を配布してもらうなどの必要があった。
【０００４】
本発明は、上述の事情に鑑みてなされたものであり、改めて講演者に許可を取らなくても、持ち帰り可能な一部分の講演資料を電子データとして持ち帰ることができるデータ出力装置および放送システムを提供することを目的とする。
【課題を解決するための手段】
【０００５】
上述の課題を解決するため、本発明は、画像データが含まれる複数のファイルを、保存可データと保存不可データに分類して記憶する記憶手段と、前記記憶手段内のいずれかのファイルの読み出しを指示する指示信号を取得する取得手段と、前記取得手段が指示信号を取得すると、前記記憶手段からファイルを読み出す読出手段と、前記読出手段が読み出したファイルが保存不可データである場合には、当該ファイルに含まれる画像データに基づいて、ストリーミング形式の映像データを生成して出力し、前記読出手段が読み出したファイルが保存可データである場合には、当該ファイルを出力する映像データ生成手段と、前記映像データ生成手段が出力した映像データおよびファイルを外部機器と通信可能な送信手段に出力する出力手段とを具備することを特徴とするデータ出力装置を提供する。
【０００６】
また、別の好ましい態様において、前記映像データ生成手段は、前記読出手段が読み出したファイルが保存可データである場合には、さらに当該ファイルに含まれる画像データに基づいて、ストリーミング形式の映像データを生成して出力してもよい。
【０００７】
また、別の好ましい態様において、外部機器から映像データを取得する外部映像データ取得手段をさらに具備し、前記映像データ生成手段は、前記外部映像データ取得手段によって映像データを取得している期間においては、当該映像データ、または、当該映像データと前記読出手段が読み出したファイルに含まれる画像データとに基づいて、ストリーミング形式の映像データを生成して出力してもよい。
【０００８】
また、本発明は、上記いずれかに記載のデータ出力装置と、前記出力手段から出力された映像データおよびファイルを通信によって送信する送信手段を有する送信装置と、前記送信手段から送信される前記映像データおよびファイルを受信する受信手段を有する受信装置とを具備することを特徴とする放送システムを提供する。
【０００９】
また、別の好ましい態様において、前記受信装置は、前記受信手段が受信したファイルを記憶するファイル記憶手段をさらに有してもよい。
【００１０】
また、別の好ましい態様において、外部装置から表示内容を制御される映像表示装置をさらに具備し、前記受信装置は、前記外部装置であって、前記受信手段がファイルを受信した場合に、当該ファイルに含まれる画像データに基づいて、ストリーミング形式の映像データを生成する表示データ生成手段と、前記受信手段が受信した映像データ、または前記表示データ生成手段が生成した映像データに基づく表示内容を前記映像表示装置に表示させる制御を行う映像制御手段とを有してもよい。
【００１１】
また、別の好ましい態様において、前記受信装置は、前記受信手段が受信したファイルを前記映像表示装置に出力する画像データ出力手段をさらに有してもよい。
【発明の効果】
【００１２】
本発明によれば、改めて講演者に許可を取らなくても、持ち帰り可能な一部分の講演資料を電子データとして持ち帰ることができるデータ出力装置、放送システム、データ出力方法およびプログラムを提供することができる。
【発明を実施するための最良の形態】
【００１３】
以下、本発明の一実施形態について説明する。
【００１４】
＜実施形態＞
本発明の実施形態に係るデータ出力装置１は、講演資料などを示す出力データを生成し、図１に示すように、無線送信装置２を介して、生成した出力データを無線送信する。無線受信装置３は、無線送信装置２から送信された出力データを受信し、映像表示装置４にその出力データに係る映像などを表示させる。このように、データ出力装置１、無線送信装置２、無線受信装置３および映像表示装置４により放送システムが構成される。以下、放送システムの各々の構成について、順に説明する。
【００１５】
データ出力装置１のハードウエアの構成について説明する。図２は、データ出力装置１のハードウエアの構成を示すブロック図である。
【００１６】
ＣＰＵ（Ｃｅｎｔｒａｌ  Ｐｒｏｃｅｓｓｉｎｇ  Ｕｎｉｔ）１１は、ＲＯＭ（Ｒｅａｄ  Ｏｎｌｙ  Ｍｅｍｏｒｙ）１２に記憶されているプログラムを読み出して、ＲＡＭ（Ｒａｎｄｏｍ  Ａｃｃｅｓｓ  Ｍｅｍｏｒｙ）１３にロードして実行することにより、データ出力装置１の各部について、バス１０を介して制御する。また、ＲＡＭ１３は、ＣＰＵ１１が記憶された各データの加工などを行う際のワークエリアとして機能する。
【００１７】
記憶部１４は、例えば、ハードディスクなどの大容量記憶手段であって、静止画像を示す画像データを含むファイルを複数記憶する。以下、画像データとは、このファイルを示すものとする。この画像データは、講演資料についてページ単位での内容を示すデータである。本実施形態においては、講演資料は、各ページが画像データａ、ｂ、ｃ、ｄ、・・・（以下、各ページを区別しない場合は、単に画像データという）として記憶されている。
【００１８】
また、記憶部１４は、分類テーブルを記憶する。分類テーブルは、図３に示すように、講演資料の表示順番を規定するとともに、聴講者が、自ら使用する無線受信装置３、映像表示装置４、他、記憶媒体等に保存し、持ち帰り可能な画像データ（以下、保存可画像データという）と、それ以外の画像データ（以下、保存不可画像データという）とを分類している。図３に示す分類テーブルは、講演資料の１ページ目が画像データａ、２ページ目が画像データｂ、３ページ目が画像データｃ、４ページ目が画像データｄと規定し、画像データｃが保存可画像データ、画像データａ、ｂ、ｄが保存不可画像データとして分類している。
【００１９】
図２の説明に戻る。操作部１５は、例えばキーボード、マウス、切り替えボタンなどである。利用者が操作部１５を操作するとその操作内容を表すデータがＣＰＵ１１へ出力される。また、講演者が切り替えボタンを押下すると、操作部１５は切替信号を出力する。
【００２０】
音声入力部１６は、チャンネル番号が割り当てられたマイクを複数有し、各マイクからの収音内容をチャンネルごとに音声データとして出力する。本実施形態においては、チャンネル１（以下、ＣＨ１という）のマイクは、日本語によって発言する講演者の声を収音し、チャンネル２（以下、ＣＨ２という）のマイクは、講演者の発言を英語の発言に同時通訳する通訳者の声を収音する。以下、ＣＨ１のマイクの収音によって生成される日本語の発言を示すＣＨ１の音声データを音声データＪといい、ＣＨ２のマイクの収音によって生成される英語の発言を示すＣＨ２の音声データを音声データＥという。
【００２１】
データ出力部１７は、データ出力装置１に接続される無線送信装置２に対して、後述するソフトウエアの処理によって生成される出力データを出力する出力端子である。
【００２２】
表示部１８は、映像を画面に表示する液晶ディスプレイなどの表示デバイスであって、入力される映像データに基づいて表示を行う。また、外部にプロジェクタなどを接続することにより、接続されたプロジェクタによって、スクリーンに映像を投影表示させることもできる。さらに、データ出力装置１を操作するためのメニュー画面など、各種画面を表示する。
【００２３】
次に、ＣＰＵ１１が、ＲＯＭ１２に記憶されたプログラムを実行することによって実現する機能について説明する。図４は、ＣＰＵ１１が実現する機能を示したソフトウエアの構成を示すブロック図である。
【００２４】
切替信号取得部１０１は、操作部１５から出力された切替信号を取得し、取得したタイミングで、読出部１０２に対して、画像データの読み出し指示を示す指示信号を出力する。なお、読出部１０２に指示信号を出力するタイミングは、切替信号を取得したタイミングに限らず、そのタイミング以降であれば、少し遅いタイミングでもよく、このタイミングの遅れ時間は、予め設定しておけばよい。
【００２５】
読出部１０２は、ＣＰＵ１１によってプログラムが実行された後に、記憶部１４から分類テーブルを取得し、読み出すべき画像データと、その読み出し順番を認識する。そして、読出部１０２は、切替信号取得部１０１から出力された指示信号を認識するたびに、分類テーブルによって指定される順番に画像データを読み出して、映像データ生成部１０３に出力する。また、画像データを映像データ生成部１０３に出力する際には、その画像データが保存可画像データであるか保存不可画像データであるかを示す情報についても、出力する。このようにして、読出部１０２は、映像データ生成部１０３に、出力した画像データが保存可画像データであるか保存不可画像データであるかを認識させる。
【００２６】
例えば、読出部１０２は、図３に示すような分類テーブルを取得した場合には、最初の指示信号を認識すると、画像データａを読み出して、保存不可画像データであることを示す情報とともに当該画像データａを映像データ生成部１０３に出力する。次に指示信号を認識すると、次の順番である画像データｂを読み出して、保存不可画像データであることを示す情報とともに当該画像データｂを映像データ生成部１０３に出力する。
【００２７】
映像データ生成部１０３は、読出部１０２から出力された画像データが保存不可画像データである場合には、その保存不可画像データに基づいて、ストリーミング形式の映像データを生成する。そして、生成した映像データは、表示部１８と出力データ生成部１０４とに出力される。一方、読出部１０２から出力された画像データが保存可画像データである場合には、その保存可画像データに基づいてストリーミング形式の映像データを生成して表示部１８に出力するとともに、その保存可画像データをそのまま出力データ生成部１０４に出力する。
【００２８】
映像データ生成部１０３が生成する映像データは具体的には、以下のように行われる。読出部１０２から保存不可画像データが出力されると、その保存不可画像データが示す静止画像を表示し続ける映像を示す映像データを生成する。そして、次に読出部１０２から出力される画像データが、保存不可画像データである場合には、その画像データが示す静止画像を表示し続ける映像を示す映像データを生成する。一方、次に読出部１０２から出力される画像データが、保存可画像データである場合には、上記同様に生成する映像データを表示部１８にのみ出力し、出力データ生成部１０４への出力を停止する。そして、出力データ生成部１０４へは、読出部１０２から出力された保存可画像データを出力する。
【００２９】
出力データ生成部１０４は、映像データ生成部１０３から出力される映像データまたは保存可画像データが入力されるとともに、音声入力部１６から出力される音声データＪおよび音声データＥが入力される。出力データ生成部１０４は、入力されるこれらのデータをチャンネルごとにまとめた出力データとしてデータ出力部１７に出力する。すなわち、出力データは、ＣＨ１が入力される映像データまたは保存可画像データ、および音声データＪ、ＣＨ２がＣＨ１における音声データＪを音声データＥに置換してまとめられたデータである。
【００３０】
ここで、入力されるデータが映像データである場合には、出力データは、当該映像データと音声データは同期可能なストリーミング形式のデータとなっている。一方、入力されるデータが保存可画像データである場合には、出力データは、ストリーミング形式の音声データに保存可画像データをまとめて出力するデータであり、保存可画像データの出力が終了して次に出力されるべき映像データまたは保存可画像データが映像データ生成部１０３から出力されるまでは、音声データのみのデータとなる。
【００３１】
このようにして、データ出力装置１は、講演者の切り替え指示に応じて変更される画像データに基づいて、表示部１８に表示される表示内容である講演資料を示す映像データを生成し、当該画像データが保存不可画像データである場合には、当該保存不可画像データに基づいて映像データを生成してデータ出力部１７から無線送信装置２へ出力する一方、当該画像データが保存可画像データである場合には、当該保存可画像データをデータ出力部１７から無線送信装置２へ出力する。以上がデータ出力装置１の説明である。
【００３２】
無線送信装置２は、データ出力装置１のデータ出力部１７から出力された出力データを無線通信によって送信する。
【００３３】
無線受信装置３は、無線送信装置２から送信された出力データを受信する。以下、図５、図６を用いて、無線受信装置３の構成を説明する。図５は、無線受信装置３のハードウエアの構成を示すブロック図である。また、図６は、無線受信装置３の外観を示す外観図である。
【００３４】
ＣＰＵ３１は、ＲＯＭ３２に記憶されているプログラムを読み出して、ＲＡＭ３３にロードして実行することにより、無線受信装置３の各部について、バス３０を介して制御する。また、ＲＡＭ３３は、ＣＰＵ３１が、記憶された各データの加工などを行う際のワークエリアとして機能する。さらに、ＲＡＭ３３は、通信部３４が受信した出力データに含まれる画像データ、すなわち保存可画像データを一時的に保存する。
【００３５】
また、通信部３４が受信した出力データが映像データを含まず、画像データである期間は、ＣＰＵ３１は、データ出力装置１の映像データ生成部１０３のように、当該画像データが示す静止画像を表示し続ける映像を示す映像データを生成する。
【００３６】
通信部３４は、無線送信装置２から送信された出力データを受信する通信手段である。
【００３７】
操作部３５は、通信部３４が受信した出力データのうち、使用したいチャンネルを選択するボタンを有した選択手段であって、図６に示すような「＋」、「−」の操作ボタンによって、チャンネルを選択する。本実施形態の場合には、ＣＨ１またはＣＨ２が選択できるようになっている。選択されたチャンネルは、後述する表示部３８に表示される。そして、操作部３５は、この選択されたチャンネルを示す情報をＣＰＵ１１へ出力する。また、操作部３５は、無線受信装置３を駆動状態とするか非駆動状態とするかのスイッチ、後述する記憶部４０に画像データを記憶させる記憶ボタンを有していてもよい。
【００３８】
音声入力部３６は、マイクを有し、収音内容を示す音声データを生成する。生成された音声データは、通信部３４を介して、無線受信装置３を識別する端末ＩＤなどとともに、無線送信することもできる。そして、送信される音声データを他の無線受信装置３において受信させ、無線送信装置２において送信させるようにすれば、音声データの双方向通信が可能となる。
【００３９】
音声出力部３７は、通信部３４によって受信した出力データのうち、操作部３５の操作によって選択されたチャンネルの音声データがＣＰＵ３１の制御によって入力され、図６に示すような外部端子に接続されるヘッドホンなどに供給する。
【００４０】
表示部３８は、液晶ディスプレイなどの表示デバイスであって、ＣＰＵ３１の制御によって表示を行う。この表示は、上述したように、操作部３５の操作によって選択されたチャンネル表示のほか、そのチャンネルの内容、無線通信用の電波の強度、図示しない２次電池の残量などの表示が行われる。ここで、チャンネルの内容は、本実施形態においては、日本語（図６においてはＪＰＮと表示）、英語を示し、チャンネルとその内容との対応付けは、データ出力装置１の出力データ生成部１０４において、チャンネルとその内容を対応付けて持たせた出力データを生成するようにしてもよいし、予め無線受信装置３に設定しておいてもよい。
【００４１】
インターフェイス３９は、外部機器と接続し、様々な情報の送受信をするための接続端子であって、例えばＵＳＢ（Ｕｎｉｖｅｒｓａｌ  Ｓｅｒｉａｌ  Ｂｕｓ）端子などである。本実施形態においては、外部機器として、映像表示装置４が接続され、通信部３４によって受信した出力データのうち、操作部３５の操作によって選択されたチャンネルの映像データ、または、画像データからＣＰＵ３１が生成した映像データが、ＣＰＵ３１の制御によって、映像表示装置４に供給される。なお、外部機器と接続している際には、電力の供給を外部機器から受けることにより、無線受信装置３の各部の駆動電力とするとともに、２次電池を充電するようにしてもよい。一方、外部機器と接続していない場合には、２次電池からの電力供給を無線受信装置３の各部の駆動電力とすればよく、無線受信装置３を駆動状態とするか非駆動状態とするかは、操作部３５の操作によって決定すればよい。
【００４２】
記憶部４０は、不揮発性メモリなどであって、ＲＡＭ３３に一時的に記憶された画像データを記憶する記憶手段である。画像データの記憶部４０への記憶は、操作部３５の記憶ボタンを操作した場合や、後述する映像表示装置４が操作手段を有していれば、聴講者が当該操作手段について所定の操作を行った場合など、聴講者の指示に基づいて行われる。なお、画像データが保存可画像データであるか保存不可画像データであるかを聴講者に示す手段を設けてもよく、例えば、表示部３８や後述する映像表示装置４に表示される映像にその旨（保存可、保存不可、○、×など）を表示させてもよい。表示をさせない場合には、保存可画像データは全て記憶するようにしてもよいし、記憶ボタンを押下したときに、保存可か否かを表示させてもよい。
【００４３】
映像表示装置４は、外部機器と接続可能なＵＳＢなどの接続端子と、液晶ディスプレイなどの表示手段とを有する。そして、接続された外部機器である無線受信装置３に制御されて、無線受信装置３から供給される映像データに係る映像を表示する。
【００４４】
例えば、映像表示装置４が一般的なパーソナルコンピュータである場合には、無線受信装置３のＣＰＵ３１は、映像表示装置４のブラウザを立ち上げ、映像表示装置４に供給する映像データに係る映像を表示させる。そして、記憶手段を有していれば、無線受信装置３のＲＡＭ３３に一時的に記憶された画像データを記憶させるようにしてもよい。この記憶手段への記憶は、上述したように無線受信装置３における記憶部４０への記憶の場合と同様にして、聴講者の指示に基づいて行われる。
【００４５】
また、映像表示装置４が単なるモニタなどであった場合には、無線受信装置３は、映像データを供給する代わりに、当該映像データを接続された映像表示装置４に適した映像信号に変換して供給し、映像表示装置４に表示させる。
【００４６】
すなわち、映像表示装置４は、接続端子および表示手段を有していればどのような装置であってもよく、無線受信装置３は、映像表示装置４の接続端子に接続するだけで、ＣＰＵ３１が映像表示装置４の装置構成を認識して、映像表示装置４を制御することにより、表示手段に映像を表示させることができる。以上が、放送システムの各々の構成の説明である。
【００４７】
次に、データ出力装置１の動作について説明する。
【００４８】
まず、講演者は、講演に先立って講演資料をページ単位で作成し、データ出力装置１の記憶部１４に、各ページを画像データとして記憶させておく。また、講演資料の画像データ（ページ）単位で保存可画像データ、保存不可画像データの分類、およびページの順番（画像データの使用順番）を示す分類テーブルを作成し、同様に記憶部１４に記憶させておく。
【００４９】
講演者は、操作部１５を操作して、ＣＰＵ１１にプログラムを実行させると、読出部１０２は、分類テーブルを読み出して、画像データの読み出し順番を認識する。ここで、分類テーブルは図３に示す分類テーブルであるとする。講演者は、操作部１５の切り替えボタンを押下すると、読出部１０２は、画像データａを読み出して、映像データ生成部１０３に出力する。この際、画像データａが保存不可画像データであることを示す情報についても出力する。
【００５０】
映像データ生成部１０３は、画像データａが保存不可画像データであるから、この画像データａに基づいて映像データ（以下、映像データＡという）を生成する。
【００５１】
これにより、表示部１８には、映像データＡが供給され、画像データａに係る静止画像が表示され、プロジェクタを用いている場合には、スクリーンにも当該静止画像が表示される。講演者は、表示部１８に表示される静止画像を見ながら発言を行うと、音声入力部１６が、講演者が用いるＣＨ１のマイクによる収音から音声データＪを生成する。また、講演者の発言を同時通訳する通訳者が用いるＣＨ２のマイクによる収音から音声データＥを生成する。
【００５２】
出力データ生成部１０４は、ＣＨ１（映像データＡ、音声データＪ）とＣＨ２（映像データＡ、音声データＥ）を有する出力データを生成し、データ出力部１７へ出力する。
【００５３】
講演者が、操作部１５の切り替えボタンを押下すると、読出部１０２は、分類テーブルから認識した次に読み出すべき画像データである画像データｂを読み出して、保存不可画像データであることを示す情報とともに、映像データ生成部１０３に出力する。これにより、表示部１８の表示内容は、画像データｂに係る静止画像に切り替わる。そして、出力データのＣＨ１、ＣＨ２が示す映像は、画像データｂの静止画像に切り替わる。
【００５４】
このようにして生成されて、データ出力部１７から出力される出力データは、無線送信装置２を介して、無線通信により送信される。
【００５５】
一方、無線受信装置３は、無線送信装置２から送信された出力データを受信し、当該出力データのうち操作部３５によって選択したチャンネルの音声データを音声出力部３７に、映像データをインターフェイス３９に出力する。例えば、図６に示すようにＣＨ１が選択されている場合には、音声出力部３７に音声データＪ、インターフェイス３９に映像データが出力される。
【００５６】
ここで、講演者が、操作部１５の切り替えボタンを押下することにより、読出部１０２が読み出す画像データが画像データｂ、ｃ、ｄとなった場合について、映像データ生成部１０３から出力される映像データまたは画像データ、無線受信装置３のインターフェイス３９が映像表示装置４に出力する映像データについて、図７を用いて説明する。
【００５７】
まず、読出部１０２から映像データ生成部１０３に対して、画像データｂ（保存不可画像データであることを示す情報を含む）が出力される。出力が完了（矢印部）すると、映像データ生成部１０３は、画像データｂに係る静止画像を表示し続ける映像（以下、映像Ｂという）を示す映像データ（以下、映像データＢという）を生成して、出力データ生成部１０４に出力する。
【００５８】
次に、講演者が操作部１５の切替ボタンを押下することにより、読出部１０２から映像データ生成部１０３に対して、画像データｃ（保存可画像データであることを示す情報を含む）が出力される。出力が完了すると、映像データ生成部１０３は、画像データｃをそのまま出力データ生成部１０４に出力し、出力が完了したら次の画像データが読出部１０２から出力されるまでデータの出力を停止する。
【００５９】
次に、講演者が操作部１５の切替ボタンを押下することにより、読出部１０２から映像データ生成部１０３に対して、画像データｄ（保存不可画像データであることを示す情報を含む）が出力される。出力が完了すると、映像データ生成部１０３は、画像データｄに係る静止画像を表示し続ける映像（以下、映像Ｄという）を示す映像データ（以下、映像データＤという）を生成して、出力データ生成部１０４に出力する。
【００６０】
このようにして、出力された映像データおよび画像データは、出力データとして無線送信装置２から送信される。一方、無線受信装置３は、この出力データを受信する。
【００６１】
まず、無線受信装置３は、受信した出力データが映像データＢであるから、インターフェイス３９を介して、この映像データＢを映像表示装置４に出力して映像Ｂを表示させる。次に、出力データが映像データＢから画像データｃに切り替わると、無線受信装置３は、画像データｃを含むファイル全体の受信が終了すると、ＣＰＵ３１によって画像データｃに係る静止画像を表示し続ける映像（以下、映像Ｃという）を示すストリーミング形式の映像データ（以下、映像データＣという）を生成して、インターフェイス３９を介して映像表示装置４に出力して映像Ｃを表示させる。このとき、映像Ｃに「保存可」という文字を表示の一部にスーパーインポーズして表示させる。
【００６２】
このとき、聴講者は、無線受信装置３の操作部３５の記憶ボタンを操作することにより、画像データｃを記憶部４０に記憶させることができる。そして、出力データに映像データＤが含まれるようになると、インターフェイス３９を介して、この映像データＤを映像表示装置４に出力して映像Ｄを表示させる。
【００６３】
これにより、この無線受信装置３を用いている聴講者は、音声出力部３７に接続されたヘッドホンにより、講演者の日本語の発言の音声をＣＨ１で、同時通訳された音声をＣＨ２で聞くことができる。また、無線受信装置３が接続された映像表示装置４の表示手段に表示される講演資料の映像を見ることができ、この講演資料のうち、ファイル単位で受信する保存可画像データのページについては、保存することができる。また、保存不可画像データのページは、画像データそのものではなく、ストリーミング形式の出力データで送信されるから、無線受信装置３で受信した出力データを記憶することができないため、講演資料の複製が安易に行われることがなく、セキュリティ効果を高めることができる。
【００６４】
このように、データ出力装置１は、講演者の切り替え指示に応じてスクリーン等に表示される講演資料のページを切り替えることができるとともに、講演資料のページのうち、保存可、保存不可について区別して出力することができる。これにより、聴講者は、講演者から遠い位置にいても、手元の映像表示装置４において、講演資料を表示させて内容を確認できるとともに、改めて講演者の許可を取る必要なく、保存可の講演資料のページを手元の無線受信装置３または映像表示装置４に保存することができる。
【００６５】
以上、本発明の実施形態について説明したが、本発明は以下のように、さまざまな態様で実施可能である。
【００６６】
＜変形例１＞
上述した実施形態においては、映像データ生成部１０３は、読出部１０２から保存可画像データが出力された場合には、当該保存可画像データを出力データ生成部１０４に一度だけ出力していたが、複数回出力するようにしてもよい。映像データ生成部１０３の出力を、実施形態における図７ではなく、例えば、図８に示すようにすればよい。このようにすると、通信状況の一時的な悪化により、無線受信装置３における出力データ（画像データｃ）の受信がうまくいかない場合でも、再度受信を試みることができる。図８は、１回目の画像データｃの受信を失敗した場合を示している。また、出力データが画像データｃに切り替わった後から聴講を開始する場合においても、その後の画像データｃにより、映像表示装置４に表示される映像Ｃを見ることができる。
【００６７】
＜変形例２＞
上述した実施形態においては、出力データについては音声データが含まれていたが、必ずしも含まれていなくてもよく、出力データは、映像データまたは画像データから構成されていればよい。
【００６８】
＜変形例３＞
上述した実施形態における保存可画像データの記憶部４０などへの記憶は、無線受信装置３において、その保存可画像データに係る映像データが生成されている期間に限られず、保存可画像データをＲＡＭ３３に記憶しておくことにより、当該期間以降であっても、聴講者が操作部３５や映像表示装置４の操作手段などを操作することにより、ＲＡＭ３３から保存可画像データを読み出して、記憶部４０などへ記憶させてもよい。
【００６９】
＜変形例４＞
上述した実施形態において、図１に破線で示したようにインターフェイス１９を設けてもよい。このインターフェイス１９は、様々な外部機器と接続可能な接続端子を有し、例えば、ＤＶＤ（Ｄｉｇｉｔａｌ  Ｖｅｒｓａｔｉｌｅ  Ｄｉｓｃ）再生装置、ビデオカメラなどが接続可能であり、これらから出力される映像データ（以下、外部映像データという）を取得することができる。そして、図９に示すような構成とすることができる。以下、この構成について説明する。
【００７０】
インターフェイス１９には、ＤＶＤ再生装置が接続され、操作部１５の操作によってＤＶＤの再生、停止を行うことができる。そして、ＤＶＤの再生中には、インターフェイス１９には外部映像データが入力され、映像データ生成部１０３に出力される。
【００７１】
映像データ生成部１０３は、インターフェイス１９から外部映像データを取得している間は、映像データに係る映像は、外部映像データに係る映像となるように、映像データを生成する。また、映像データ生成部１０３が画像データを出力している場合には、画像データ出力後または画像データと並行して外部映像データに係る映像を示す映像データを出力データ生成部１０４に出力する。
【００７２】
そして、無線受信装置３は、映像データと画像データと双方を含む出力データを受信した場合には、画像データをＲＡＭ３３に記憶させる一方、画像データに基づいて映像データを生成することを中止して、受信した映像データを映像表示装置４に出力する。このようにすると、外部機器において再生する映像を講演資料の一部として用いたい場合には、この映像を映像データに割り込ませることができる。なお、映像データに係る映像を完全に外部映像データに係る映像に置換するだけでなく、直前に表示される映像にスーパーインポーズするようにして表示させてもよいし、画面を２分割するようにして表示させるようにしてもよい。
【００７３】
＜変形例５＞
変形例４において、インターフェイス１９に、ビデオカメラが接続されている場合について説明する。ビデオカメラは、講演者および講演資料が表示されているスクリーンを撮影することにより外部映像データを生成する。外部映像データに係る映像は、例えば、図１０に示すものとなる。ここで、２００はビデオカメラの撮影範囲全体、２１０はスクリーンに表示される映像範囲、すなわち表示部１８に供給される映像データに係る映像、２２０は、講演者３００付近の拡大エリアの映像範囲を示す。
【００７４】
講演者３００は、データ出力装置１の操作部１５を操作することにより、ビデオカメラの撮影によって外部映像データを生成するか否かを制御、またはビデオカメラによって生成される外部映像データをインターフェイス１９から映像データ生成部１０３に取得させるかどうかなどを制御して、映像データ生成部１０３に対して外部映像データが出力されるか否かを制御する。
【００７５】
また、講演者３００は、操作部１５を操作して、外部映像データを映像データ生成部１０３が取得している期間において、出力データ生成部１０４に出力する映像データに係る映像内容を選択し、選択した内容を示す選択信号を操作部１５から映像データ生成部１０３に出力させる。選択できる映像内容は、例えば、図１０に示す撮影範囲全体２００、スクリーン表示の映像範囲２１０、講演者３００付近の拡大エリアの映像範囲２２０のいずれかである。なお、映像範囲２１０、２２０は、予め座標などにより確定させた範囲であってもよく、この場合は、映像データ生成部１０３に、映像範囲２１０、２２０の範囲を当該座標で設定しておけばよい。また、スクリーンの範囲、講演者３００の範囲を外部映像データに係る映像から解析する映像解析機能を映像データ生成部１０３に設けて、映像範囲２１０、２２０の範囲を認識できるようにしてもよい。
【００７６】
次に、映像データ生成部１０３が外部映像データを取得している期間における映像データ生成部１０３の機能について説明する。映像データ生成部１０３は、実施形態と同様にして生成した映像データを表示部１８に対して出力する。一方、出力データ生成部１０４に対しては、以下のようにして生成した映像データを出力する。
【００７７】
映像データ生成部１０３は、撮影範囲全体２００を示す選択信号が入力された場合には、外部映像データをそのまま映像データとして出力データ生成部１０４に対して出力する。また、映像範囲２２０を示す選択信号が入力された場合には、映像範囲２２０を拡大した表示内容の映像を示す映像データを生成して、出力データ生成部１０４に対して出力する。一方、映像範囲２１０を示す選択信号が入力された場合には、講演資料を拡大した表示内容の映像を示す映像データを生成してもよいし、講演資料を示しているだけであるから、講演資料を拡大した映像とするのではなく、外部映像データが入力されていないとみなして、実施形態と同様な処理を行ってもよい。
【００７８】
映像データ生成部１０３は、画像データを出力している場合に上記処理を行う場合には、画像データ出力後、または生成した映像データと画像データとを並行して出力データ生成部１０４に出力する。
【００７９】
そして、無線受信装置３は、映像データと画像データと双方を含む出力データを受信した場合には、画像データをＲＡＭ３３に記憶させる一方、画像データに基づいて映像データを生成することを中止して、受信した映像データを映像表示装置４に出力する。このようにすると、映像表示装置４に、講演資料だけでなく、講演者３００が映った映像についても表示させることができ、聴講者は、より臨場感のある表示を見ることができる。
【００８０】
なお、ビデオカメラの解像度が低いなどして、講演資料の撮影状況が悪い場合には、映像データ生成部１０３において、読出部１０２から出力された画像データに係る静止画像を映像範囲２１０に対して、スーパーインポーズした映像を示す映像データを生成してもよい。このようにすると、講演資料部分は解像度が高い元の画像データに基づいて表示させることができる。
【００８１】
＜変形例６＞
上述した実施形態においては、分類テーブルは、読出部１０２が画像データを読み出す順番についても規定していたが、各々の画像データが保存可画像データまたは保存不可画像データに分類されていれば、順番については規定されていなくてもよい。この場合には、講演者は操作部１５を操作して、次に読み出す画像データを読出部１０２に指示するようにすればよい。また、この分類については、予め分類テーブルによって定められていなくてもよく、講演者が操作部１５を操作して、分類を変更できるようにしてもよい。この場合には、分類変更後、読出部１０２に分類テーブルを読み出させればよい。なお、表示部１８に表示されている映像に係る画像データの分類を変更する場合には、分類変更後に読出部１０２が当該画像データを読み出すようにすれば、分類が変更された状態の画像データとして読み出すことができ、映像データ生成部１０３は、分類に応じて映像データまたは画像データを出力データ生成部１０４に出力することができる。
【００８２】
＜変形例７＞
上述した実施形態においては、無線送信装置２と無線受信装置３との間の通信は無線で行われていたが、有線によって行なわれる通信であってもよい。
【００８３】
＜変形例８＞
上述した実施形態においては、記憶部１４に記憶され、分類テーブルによって分類されたデータは静止画像を示す画像データであったが、映像データであってもよい。この場合は、読出部１０２が読み出すべきデータが、映像データである場合には、当該映像データを読み出して、映像データ生成部１０３に出力し、映像データ生成部１０３は、読出部１０２から出力された映像データが保存可、保存不可であるかを認識し、保存可である場合には、当該映像データを出力し、保存不可である場合には、当該映像データに基づいて、ストリーミング形式の映像データを生成すればよい。
【００８４】
＜変形例９＞
上述した実施形態において、データ出力装置１のＣＰＵ１１が実行するプログラムはＲＯＭ１２に記憶されたプログラムであったが、様々な記録媒体のデータを読み取ることができるデータ入力手段などを設け、当該プログラムが記憶された様々な記録媒体から取得したり、通信手段を設けてサーバなど外部装置との通信によって当該プログラムを取得したりして、外部から取得するようにしてもよい。
【図面の簡単な説明】
【００８５】
【図１】実施形態に係るデータ出力装置を用いた放送システムの構成を示すブロック図である。
【図２】実施形態に係るデータ出力装置のハードウエアの構成を示すブロック図である。
【図３】実施形態に係る分類テーブルを示す説明図である。
【図４】実施形態に係るデータ出力装置のソフトウエアの構成を示すブロック図である。
【図５】実施形態に係る無線受信装置のハードウエアの構成を示すブロック図である。
【図６】実施形態に係る無線受信装置の外観を示す外観図である。
【図７】実施形態に係るデータ出力装置に出力データについての説明図である。
【図８】変形例１に係るデータ出力装置に出力データについての説明図である。
【図９】変形例４、５に係るデータ出力装置のソフトウエアの構成を示すブロック図である。
【図１０】変形例５に係る外部映像データに係る映像の説明図である。
【符号の説明】
【００８６】
１…データ出力装置、２…無線送信装置、３…無線受信装置、４…映像表示装置、１１，３１…ＣＰＵ、１２，３２…ＲＯＭ、１３，３３…ＲＡＭ、１４…記憶部、１５，３５…操作部、１６，３６…音声入力部、１７…データ出力部、１８，３８…表示部、１９，３９…インターフェイス、３４…通信部、３７…音声出力部、４０…記憶部、１０１…切替信号取得部、１０２…読出部、１０３…映像データ生成部、１０４…出力データ生成部、２００…撮影範囲全体、２１０…スクリーン表示の映像範囲、２２０…拡大エリアの映像範囲、３００…講演者
【図１】
2009105561.tif 000003
【図２】
2009105561.tif 000004
【図３】
2009105561.tif 000005
【図４】
2009105561.tif 000006
【図５】
2009105561.tif 000007
【図６】
2009105561.tif 000008
【図７】
2009105561.tif 000009
【図８】
2009105561.tif 000010
【図９】
2009105561.tif 000011
【図１０】
2009105561.tif 000012